(57)【要約】【課題】就寝後に前面パネルを閉じる際に発生する駆動音を低減すること。【解決手段】吸込口９が設けられた室内ユニット１と、室内ユニット１から離反するように移動して吸込口９を開き、室内ユニット１に近接するように移動して吸込口９を閉じる開閉自在の前面パネル７と、吸込口９の開度が、所望の開度となるように前面パネル７を移動させる開閉装置６とを備え、おやすみ運転モード運転中は前面パネル７の開度を小さくすることで、運転停止時の開閉装置６から発生する駆動音を低減させ、より快適な環境を呈する空気調和装置を提供することができる。【選択図】図１
2009222300.tif 000002
【特許請求の範囲】
【請求項１】
吸込口が設けられた室内ユニットと、前記室内ユニットから離反するように移動して前記吸込口を開き、前記室内ユニットに近接するように移動して前記吸込口を閉じる開閉自在の前面パネルと、前記吸込口の開度が、所望の開度となるように前記前面パネルを移動させる開閉装置とを備え、おやすみ運転モード運転中は前記前面パネルの開度を小さくすることを特徴とする空気調和装置。
【請求項２】
吸込口が設けられた室内ユニットと、前記室内ユニットから離反するように移動して前記吸込口を開き、前記室内ユニットに近接するように移動して前記吸込口を閉じる開閉自在の前面パネルと、前記吸込口の開度が、所望の開度となるように前記前面パネルを移動させる開閉装置とを備え、おやすみ運転モード運転終了後に、前記前面パネルの移動を停止することを特徴とする空気調和装置。
【発明の詳細な説明】
【技術分野】
【０００１】
本発明は吸込口に開閉自在の前面パネルを設けた空気調和装置に関するものである。
【背景技術】
【０００２】
従来、この種の空気調和装置は、吸込口が設けられた室内ユニットと、室内ユニットから離反するように移動して吸込口を開き、室内ユニットに近接するように移動して吸込口を閉じる開閉自在の前面パネルと、吸込口の開度が、所望の開度となるように前面パネルを移動させる開閉装置とを備えていた（例えば、特許文献１参照）。
【０００３】
図３は、特許文献１に記載された従来の空気調和装置のブロック図、図４は、従来の室内ユニットの概略側面図を示すものである。
【０００４】
図３に示すように、空気調和装置は、室内ユニット１、室外ユニット２で構成されたセパレート型空気調和装置である。また、図４に示すように、室内ユニット１は、熱交換器３、吹出口４、ファン５、開閉装置６、前面パネル７、風向羽根８、吸込口９から構成されている。
【０００５】
この室内ユニット１内部に、空気を吸い込むために開閉装置６を使用して前面パネル７を開けて、熱交換器３により矢印Ａ方向から吸い込んだ空気と熱交換器３中の流体を熱交換し、熱交換された空気を吹出口４から矢印Ｂ方向に排出するファン５などが配されている。
【０００６】
また、図５は、従来のおやすみ運転制御フローチャートを示すものである。おやすみ運転モードによるおやすみ運転制御は、就寝時の人に対する負荷を低減させて運転を行い、設定した時間後（一般的には就寝中）に空気調和装置を自動停止する制御である。
【０００７】
図５に示すように、就寝時にリモコン等により切タイマー（Ｚ時間後に運転停止）と同時におやすみ運転制御が設定され、冷房のおやすみ運転モード運転中は、設定温度を若干高め（設定温度＋Ｘ℃）に、暖房のおやすみ運転モード運転中は設定温度を若干低め（設定温度−Ｙ℃）にして運転し、切タイマーの設定した時間後（Ｚ時間後）に、前面パネル７を閉じて運転停止する。
【特許文献１】特開２００６−５２９３６号公報
【発明の開示】
【発明が解決しようとする課題】
【０００８】
しかしながら、前記従来の構成による室内ユニットでは、就寝後に開閉装置により前面パネルを閉じる際に開閉装置から駆動音が発生し、就寝中うるさく、睡眠を妨げる可能性があるという課題を有していた。
【０００９】
本発明は、前記従来の課題を解決するもので、おやすみ運転モード運転後に開閉装置で前面パネルを閉じる際に発生する駆動音を低減し、より快適な環境を呈する空気調和装置を提供することを目的とする。
【課題を解決するための手段】
【００１０】
前記従来の課題を解決するために、本発明の空気調和装置は、吸込口の開度が所望の開度となるように、開閉自在の前面パネルを移動させる開閉装置を備え、お休み運転モード運転中は前面パネルの開度を小さくさせるものである。
【００１１】
これによって、開閉装置の駆動時間を短くすることができるため、駆動音を低減することができるものである。
【００１２】
また、本発明の空気調和装置は、おやすみ運転モード運転終了後、前面パネルの移動を停止させるものである。
【００１３】
これによって、おやすみ運転モード運転終了後は、室内ユニット停止と同時に、パネルを移動することなく即停止することにより、駆動音を発生させないようにすることができるものである。
【発明の効果】
【００１４】
本発明の空気調和装置は、おやすみ運転モード運転終了時に前面パネルを閉じる際に開閉装置から発生する駆動音を低減させ、より快適な環境を呈する空気調和装置を提供することができる。
【発明を実施するための最良の形態】
【００１５】
第１の発明は、吸込口が設けられた室内ユニットと、前記室内ユニットから離反するように移動して前記吸込口を開き、前記室内ユニットに近接するように移動して前記吸込口を閉じる開閉自在の前面パネルと、前記吸込口の開度が、所望の開度となるように前記前面パネルを移動させる開閉装置とを備え、おやすみ運転モード運転中は前記前面パネルの開度を小さくすることにより、前面パネルの開閉時間を短く、開閉装置の駆動時間を短くし、騒音を低減させ、より快適な環境を呈することができる。
【００１６】
第２の発明は、吸込口が設けられた室内ユニットと、前記室内ユニットから離反するように移動して前記吸込口を開き、前記室内ユニットに近接するように移動して前記吸込口を閉じる開閉自在の前面パネルと、前記吸込口の開度が、所望の開度となるように前記前面パネルを移動させる開閉装置とを備え、おやすみ運転モード運転終了後に、前記前面パネルの移動を停止させることで室内ユニット停止と同時にパネルを閉じることなく即停止させることにより、開閉装置の駆動音をなくし、より快適な環境を呈することができる。
【００１７】
以下、本発明の実施の形態について、図面を参照しながら説明する。尚、この実施の形態によって本発明が限定されるものではない。
【００１８】
（実施の形態１）
本実施の形態では、空気調和装置のブロック図、室内ユニットの概略側面図は、従来の空気調和装置と同様である為、説明を省略する。
【００１９】
図１は、本発明の第１の実施の形態におけるおやすみ運転制御フローチャートを示すものである。
【００２０】
図１において、就寝時にリモコン等により切タイマー（Ｚ時間後に運転停止）と同時におやすみ運転モードによるおやすみ運転制御が設定されると、前面パネル７の開度を小さくして、冷房のおやすみ運転モード運転中は、設定温度を若干高め（設定温度＋Ｘ℃）に、暖房のおやすみ運転モード運転中は設定温度を若干低め（設定温度−Ｙ℃）にして運転し、切タイマーの設定した時間後（Ｚ時間後）に、前面パネル７を閉じて運転停止する。
【００２１】
パネルの開度を小さくしているので、運転停止時の開閉装置の駆動時間を短くして騒音を低減することができる。
【００２２】
また、睡眠時に運転音を抑えるために、前面パネルの開度を増大することで、風量を低減してファン回転数を抑えたり、空気の吸込の圧力損失を低減することで、空気調和能力を維持しつつ運転音を低減する制御を行う場合がある。その際には、空調が定常状態になってから、ファンの回転数を下げたり圧縮機の運転を低下させる代わりにパネルの開度を小さくしてもよいし、設定温度を段階的に変化させ（冷房時には＋ΔＸ℃ずつ、暖房時には−ΔＹ℃ずつ変え）、これに伴ってパネルの開度を小さくしてもよい。
【００２３】
（実施の形態２）
本実施の形態でも、空気調和装置のブロック図、室内ユニットの概略側面図は、従来の空気調和装置と同様である為、説明を省略する。
【００２４】
図２は、本発明の第２の実施の形態におけるおやすみ運転制御フローチャートを示すものである。
【００２５】
図２において、就寝時にリモコン等により切タイマー（Ｚ時間後に運転停止）と同時におやすみ運転モードによるおやすみ運転制御が設定されると、前面パネル７の開度を小さくして、冷房のおやすみ運転モード運転中は、設定温度を若干高め（設定温度＋Ｘ℃）に、暖房のおやすみ運転モード運転中は設定温度を若干低め（設定温度−Ｙ℃）にして運転し、切タイマーの設定した時間後（Ｚ時間後）に、前面パネルを閉じることなく、前面パネルの開閉装置を駆動させることなく即停止することにより騒音の発生を抑えることができる。また、室内風向羽根８などの駆動しているすべての部品などを停止することで、騒音の発生を抑えてもよい。
【産業上の利用可能性】
【００２６】
以上のように、本発明にかかる空気調和装置は、運転停止後の前面パネルの開閉装置の駆動時間を短くすることで騒音を低減することが可能となるので、吸込口を開閉する前面パネルを有する空気清浄機等の用途にも適用できる。
【図面の簡単な説明】
【００２７】
【図１】本発明の実施の形態１におけるおやすみ運転制御フローチャート
【図２】本発明の実施の形態２におけるおやすみ運転制御フローチャート
【図３】従来の空気調和装置のブロック図
【図４】従来の室内ユニットの概略側面図
【図５】従来のおやすみ運転制御フローチャート
【符号の説明】
【００２８】
１  室内ユニット
２  室外ユニット
３  熱交換器
４  吹出口
５  ファン
６  開閉装置
７  前面パネル
８  風向羽根
９  吸込口
【図１】
2009222300.tif 000003
【図２】
2009222300.tif 000004
【図３】
2009222300.tif 000005
【図４】
2009222300.tif 000006
【図５】
2009222300.tif 000007